(57)【要約】  【課題】  主として合成樹脂製フィルムからなる郵送用の封筒や、メール便や宅配便等の民間業者による輸送用の袋体、或いは個別訪問により各家庭の郵便受けに直接投函される袋体等、封入物を封入して受信者に郵送、輸送等をするための袋体であって、封入物が外部から透視されるのを防止しうるような袋体に関し、封入物の不用意な透視を好適に防止することのできる封筒その他の輸送用等の袋体を提供することを課題とする。  【解決手段】  袋本体１の少なくともいずれか一片に、金属蒸着フィルムが具備されていることを特徴とする。【選択図】  図５
2007015703.tif 000002
【特許請求の範囲】
【請求項１】
袋本体（１）の少なくともいずれか一片に、金属蒸着フィルムが具備されていることを特徴とする封入物の透視防止用袋体。
【請求項２】
白マットインク（７）が塗着された合成樹脂製フィルム（６）が、金属蒸着フィルムにラミネートされて袋本体（１）の少なくともいずれか一片が構成されている請求項１記載の封入物の透視防止用袋体。
【請求項３】
金属蒸着フィルムがアルミ蒸着フィルム（５）である請求項１又は２記載の封入物の透視防止用袋体。
【請求項４】
袋本体（１）の一片（１ａ）と他片（１ｂ）とが別体に形成されている請求項１乃至３のいずれかに記載の封入物の透視防止用袋体。
【請求項５】
袋本体（１）の開口部が開封されたか否かを確認するための開封確認手段が設けられている請求項１乃至４のいずれかに記載の封入物の透視防止用袋体。
【請求項６】
開封確認手段が、袋本体（１）の一片（１ａ）を他片（１ｂ）より上方へ延長して形成された封緘片（１０）に、該封緘片（１０）を分断しうるように設けられたカットテープ（２４）である請求項５記載の封入物の透視防止用袋体。
【発明の詳細な説明】
【技術分野】
【０００１】
本発明は、封入物の透視防止用袋体、さらに詳しくは、主として合成樹脂製フィルムからなる郵送用の封筒や、メール便や宅配便等の民間業者による輸送用の袋体、或いは個別訪問により各家庭の郵便受けに直接投函される袋体等、封入物を封入して受信者に郵送、輸送等をするための袋体であって、封入物が外部から透視されるのを防止しうるような袋体に関する。
【背景技術】
【０００２】
合成樹脂製フィルムからなる郵送用の封筒は、透明で封入物を外部から透視させることができ、またグラビヤ印刷やオフセット印刷によって図柄等の有色の綺麗な印刷を施すことができ、さらに耐水性があり安価に製作できるという、紙製の封筒にない種々の利点を有している。そして、これらの利点が特にダイレクトメール用の用途に適していることから、ダイレクトメールの普及に伴ってここ十数年の間に合成樹脂製封筒の需要が普及してきている。
【０００３】
しかしながら、ダイレクトメール以外の用途では、たとえば納品書、請求書等、外部から透視させることに支障を生ずるような封入物も多く、その場合には上記のような図柄等の印刷とは別に、黒色、銀色、灰色、茶色、紺色等の透視防止を目的とした着色が印刷によって施されている。
【０００４】
ところで、このような透視防止を目的とした着色用のインクとして、従前では重金属類等が含有されたものが用いられており、そのようなインクは封入物が外部から透視されるのが比較的好適に防止されていたが、公害の観点から、このような重金属類を含有するインクの使用が廃止されるに至った。代替品として現在用いられている着色インクは、外部から封入物が透視されるのを好適に防止することができない。特にグラビア印刷では、印刷用のロールを高速で回転させるので、インクをそれ程多く塗着することができず、これが封入物の透視を好適に防止できない１つの要因ともなっている。紙製封筒の需要が依然として多いのもこのような理由による。
【０００５】
たとえば、下記特許文献１は、透明フィルム封筒に関する特許出願であるが、請求項２には、文字情報に対向する部分のみを透視不可能に着色する手段を講じることが記載されているが、封入物が透視されるのを厳格に防止することを目的とするものではない。
【０００６】
【特許文献１】特開２００３−２２１０４０号公報
【０００７】
一方、ダイレクトメールを発信する通信販売等の業者は、近年では個人情報ネットワーク等の利用により顧客の住所、電話番号、氏名等の情報を収集し、上記のようなフィルム封筒で郵送しているが、２００５年４月１日から施行された個人情報保護法により、従前に比べて個人の住所、電話番号、氏名等の情報の収集にも一定の制限が加えられ、そのこととも関連して上記のような合成樹脂製の封筒における封入物の透視防止の要請も依然よりも強くなっている。
【０００８】
また近年においては、メール便や宅配便等郵便局以外の民間業者によっても書類等の送付物が輸送用の袋体に封入されて輸送され、或いは個別訪問により封入物が
袋体に封入されて各家庭の郵便受けに直接投函されることもあるが、このような場合でも合成樹脂製の袋体が多く用いられるので、封入物の透視防止が求められる場合もある。
【発明の開示】
【発明が解決しようとする課題】
【０００９】
本発明は、このような点に鑑みてなされたもので、上記のような封入物の不用意な透視を好適に防止することのできる封筒その他の輸送用等の袋体を提供することを課題とする。
【課題を解決するための手段】
【００１０】
本発明は、このような課題を解決するためになされたもので、請求項１記載の発明は、袋本体１の少なくともいずれか一片に、金属蒸着フィルムが具備されていることを特徴とする。また請求項２記載の発明は、請求項１記載の袋体において、白マットインク７が塗着された合成樹脂製フィルム６が、金属蒸着フィルムにラミネートされて袋本体１の少なくともいずれか一片が構成されていることを特徴とする。
さらに請求項３記載の発明は、請求項１又は２記載の袋体において、金属蒸着フィルムがアルミ蒸着フィルムであることを特徴とする。さらに請求項４記載の発明は、請求項１乃至３のいずれかに記載の封入物の透視防止用袋体において、袋本体１の一片１ａと他片１ｂとが別体に形成されていることを特徴とする。さらに請求項５記載の発明は、請求項１乃至４のいずれかに記載の封入物の透視防止用袋体において、袋本体１の開口部が開封されたか否かを確認するための開封確認手段が設けられていることを特徴とする。さらに請求項６記載の発明は、請求項５記載の封入物の透視防止用袋体において、開封確認手段が、袋本体１の一片１ａを他片１ｂより上方へ延長して形成された封緘片１０に、該封緘片１０を分断しうるように設けられたカットテープ２４であることを特徴とする。
【発明の効果】
【００１１】
上述のように、本発明は、袋本体の少なくともいずれか一片に、金属蒸着フィルムを具備させたものであるので、その金属蒸着フィルムが具備された袋本体の一片側から袋本体内の封入物が透視されるのが好適に防止されるとになる。従って、単に透視防止用のインクで着色された従来の封筒等の袋体に比べて、透視防止効果が著しく向上し、親展用に適した封筒等の袋体を提供することができる。
【００１２】
また、２００５年の４月から施行されている個人情報保護法にもより合致した封筒等の袋体を提供することができるという効果がある。
【００１３】
さらに、白マットインクが塗着された合成樹脂製フィルムを、金属蒸着フィルムにラミネートして袋本体の少なくとも一片を構成した場合には、封筒等における少量多品種に適したオフセット印刷を、好適に行うことができるという効果がある。
【００１４】
すなわち、グラビヤ印刷の場合には、少量多品種の印刷には不適であり、オフセット印刷の方が適しているが、オフセット印刷の場合には、金属蒸着フィルムに直接印刷を行うことは容易でない。しかしながら、上記のように白マットインクが塗着された合成樹脂製フィルムが金属蒸着フィルムの表面側に設けられていることによって、少量多品種の印刷を綺麗に且つ容易に行うことができるのである。
【発明を実施するための最良の形態】
【００１５】
以下、本発明の実施形態について図面に従って説明する。
【００１６】
（実施形態１）
図１乃至図４において、１は封筒として使用される袋本体で、該袋本体１の一片１ａは複層フィルムで構成され、且つ該袋本体１の他片１ｂは、延伸ポリプロピレンフィルムで構成されている。そして、図１及び図２に示すように、前記袋本体１の一片１ａが前記袋本体１の他片１ｂと重合されて、該袋本体１の両片１ａ、１ｂの両側縁部２ａ、２ｂ及び底縁部２ｃの三方が熱圧着されることによって袋状に形成されてなる。
【００１７】
袋本体１の一片１ａを構成する複層のフィルムは、図５に示すように、無延伸ポリプロピレンからなる合成樹脂製フィルム３にアルミニウム４が蒸着されたアルミ蒸着フィルム５と、延伸ポリプロピレンからなる合成樹脂製フィルム６に白マットインク７が塗着された白マットインクフィルム８とが、接着層９を介してラミネートされて構成されている。
【００１８】
袋本体１の一片１ａの表面側には、上記のように白マットインクフィルム８が設けられているので、その袋本体１の一片１ａの表面側に宛先宛名等を筆記等によって表示することができる。また、図示しないが、郵便番号欄や所望文字、図柄等が必要に応じて印刷される。
【００１９】
１０は、前記袋本体１の一片１ａを他片１ｂより開口部１１の上方へ延長して形成された封緘片で、その封緘片１０の一面側には接着剤１２を介して離型材１３が設けられている。尚、袋本体１の一片１ａは、上述のようにアルミ蒸着フィルム５と白マットインクフィルム８とがラミネートされて構成されているのであるが、封緘片１０の部分においては、白マットインクフィルム８は設けられておらず、アルミ蒸着フィルム５のみが設けられていて、そのアルミ蒸着フィルム５が外面側に裸出した状態とされている。
【００２０】
そして、このようなフィルム封筒である袋体を使用する場合には、内容物を袋体１４内に封入した後、封緘片１０から離型材１３を剥離し、封緘片１０を折り曲げ、接着剤１２を介して該封緘片１０を袋本体１の他片１ｂ側に接着する。このようにして内容物を封入した状態で、袋体１４は発信者から受信者に発送される。
【００２１】
この場合において、袋本体１の一片１ａ側にアルミ蒸着フィルム５が具備されているので、そのアルミ蒸着フィルム５が具備された袋本体１の一片１ａ側から袋本体内の封入物が透視されるのが好適に防止されることとなる。
【００２２】
また、アルミ蒸着フィルム５の表面側に白マットインクフィルム８が設けられているので、袋本体１の一片１ａ側に受信者の住所、氏名等を好適に印刷することができる。すなわち、送付すべき受信者がそれほど多くない場合、少量多品種に適したオフセット印刷を用いるのが好ましく、その場合にはアルミ蒸着フィルム５に直接印刷を施すのは困難であるが、本実施形態では袋本体１の一片１ａの表面側に白マットインクフィルム８が設けられているので、オフセット印刷によって住所、氏名等を好適に印刷することができるのである。
一方、袋本体１の他片１ｂ側は、透明な延伸ポリプロピレンフィルムで構成されているので、その他片１ｂ側からは、袋本体１の内部を透視することができる。しかしながら、封入物が宣伝広告等用の書類であれば、透視されることに不都合がないばかりか、むしろ意図的に透視されるように表示面を他片１ｂ側に向けて書類等を袋本体１内に封入することが要請される場合もある。
従って、本実施形態のような袋体は、表示内容が透視されても支障のない、或いは透視されることが要請されるような宣伝広告等用の書類と、透視防止が要請される個人情報等の書類との双方を封入するような場合に好適に用いることができ、その場合には、透視防止が要請される書類を袋本体１の一片１ａ側に位置させ、透視されても支障のない書類等を袋本体１の他片１ｂ側に位置させ、透視されても支障のない書類等によって透視防止が要請される書類が覆い隠されて、他片１ｂ側から透視されないような状態で封入することができるのである。
【００２３】
次に、上記のような構成からなるフィルム封筒としての袋体１４を製造する方法について説明する。
【００２４】
先ず、図６に示すように、複層フィルムで構成された長尺複層フィルムシート１５と、延伸ポリプロピレンフィルムで構成された長尺フィルムシート１６とを準備する。複層フィルムは、上述のように、無延伸ポリプロピレンフィルム３にアルミニウム４が蒸着されたアルミ蒸着フィルム５と、延伸ポリプロピレンフィルム６に白マットインク７が塗着された白マットインクフィルム８とが、接着層９を介してラミネートされて構成されたものである。
【００２５】
この複層フィルムを構成する白マットインクフィルム８において、該シール部１８の部分には白マットインク７が塗着されていない。この場合白マットインク７は、延伸ポリプロピレンフィルム６上のシール部１８の部分を除いた位置に塗着されるが、アルミニウム４は先ず無延伸ポリプロピレンフィルム３の全面に蒸着される。
【００２６】
上記の長尺複層フィルムシート１５と長尺フィルムシート１６は、袋体の長さ方向の２丁分の幅を有して形成されている。このような長尺複層フィルムシート１５及び長尺フィルムシート１６は、ロール状に巻き取られたものであるが、その巻き取られた状態から引き出して移送しつつ、図６に示すように長尺複層フィルムシート１５と長尺フィルムシート１６とを重合させる。
【００２７】
このとき、図６にも示すように、長尺複層フィルムシート１５の幅は長尺フィルムシート１６の幅よりもやや広く形成されており、長尺複層フィルムシート１５を長尺フィルムシート１６に重合した場合に、両端部に長尺複層フィルムシート１５が延長片１７として突出される。そして、この延長片１７が袋体の封緘片１０となるべき部分であり、その延長片１７上に接着剤１２を介して離型材１３が設けられている。
【００２８】
次に、図７に示すように、重合された長尺複層フィルムシート１５と長尺フィルムシート１６とを、フィルム封筒が形成された場合に底縁部２ｃ及び両側縁部２ａ、２ｂになる位置において熱圧着する。これにより、所定幅となるようなシール部１８が形成されることとなる。
【００２９】
次に、図８に示すように、重合された長尺複層フィルムシート１５と長尺フィルムシート１６との長手方向略中央におけるシール部１８の部分を切断する。これによって、２組の長尺重合シート１９ａ、１９ｂが形成されることとなる。
【００３０】
次に、図９に示すように、熱溶着されたシール部１８の部分を短手方向の所定間隔ごとに切断する。これによって、図１に示すような袋本体１の一片１ａがアルミ蒸着フィルム５を具備する複層フィルムで構成され、他片１ｂが単層のフィルムで構成された封筒としての袋体が連続的且つ自動的に製造されることとなる。また上述のように長尺複層フィルムシート１５がフィルムシート１６より幅が広く、長尺複層フィルムシート１５が突出した状態で両シート１５、１６を重合したため、該突出部分が封緘片１０として形成されることとなる。
【００３１】
上記のような長手方向及び短手方向のシール部１８の部分を切断する場合において、本実施形態では上記のように複層フィルムシート１５におけるシール部１８の部分において白マットインク７が除去されているので、熱板等によって溶断シールされた後の袋体の端縁に、いわゆるひげのようなフィルムの微細な突出部分が生ずることもない。すなわち、上記シール部１８の部分に仮に白マットインク７が存在すると、溶断シール時にインクが溶けて熱板に付着して上記微細な突出部分が生じ得るが、白マットインク７が存在しないことによって、このような微細な突出部分が生じることもないのである。
【００３２】
上述のように、本実施形態では、袋本体１の一片１ａ側にアルミ蒸着フィルム５が具備されているので、そのアルミ蒸着フィルム５が具備された袋本体１の一片１ａ側から袋本体内の封入物が透視されるのが好適に防止され、単に透視防止用のインクで着色された従来の封筒に比べて透視防止効果が著しく向上する。尚、袋本体１の他片１ｂ側は透明であるので、封入物はそのまま透視されるが、隠蔽すべき文字等が袋本体１の一片１ａ側に向くように配置された状態で書類等の封入物が封入されていれば、一応透視防止の目的は達成されることとなる。
【００３３】
（実施形態２）
本実施形態においては、袋本体１の一片１ａ側のみならず、袋本体１の他片１ｂ側も不透明に形成されており、この点で袋本体１の他片１ｂ側が透明に形成されていた実施形態１の場合と相違する。すなわち、本実施形態においては、袋本体１の他片１ｂを構成する複層のフィルムも、袋本体１の一片１ａと同様に、図１０に示すように、無延伸ポリプロピレンからなる合成樹脂製フィルム３にアルミニウム４が蒸着されたアルミ蒸着フィルム５と、延伸ポリプロピレンからなる合成樹脂製フィルム６に白マットインク７が塗着された白マットインクフィルム８とが、接着層９を介してラミネートされて構成されている。
【００３４】
本実施形態においては、このように袋本体１の一片１ａのみならず、他片１ｂにもアルミ蒸着フィルム５が具備されているので、袋本体１の表裏両片１ａ、１ｂのいずれの側からも封入物が全く透視されることがない。従って透視防止がより確実になされることとなり、上記実施形態１に比べて親展用等により適した封筒を提供することが可能となる。すなわち、宣伝広告用等の書類がなく、封入されるすべての書類に秘密保持が要求されるような場合に本実施形態の袋体を好適に使用することが可能となるのである。
【００３５】
白マットインクフィルム８が具備されていることによる印刷時の効果は、上記実施形態１の場合と同様に生ずる。
【００３６】
（実施形態３）
本実施形態においても、袋本体１の一片１ａと他片１ｂとの双方が不透明に形成されており、この点で上記実施形態２と袋本体１の基本的構成が共通する。本実施形態においては、図１１及び図１２に示すように、さらに袋本体１の上部の封緘片１０に該封緘片１０を分断するためのカットテープ２４が具備されており、この点でかかるカットテープ２４が具備されていない実施形態２の場合と相違する。またカットテープ２４を引き裂く起点となる切込部２６、２６が、封緘片１０の一側縁側に形成されている。さらに上記実施形態１及び２と同様に封緘片１０には白マットインクフィルム８が設けられておらず、アルミ蒸着フィルム５が外面側に裸出した状態とされている。
【００３７】
本実施形態においては、図１３及び図１４に示すように封緘された封筒を受信者が受信した後、その封筒を開封する場合に、上記切込部２６、２６を起点として図１５のようにカットテープ２４を引き裂くことによって開封する。このようにしてカットテープ２４を引き裂くと、接着剤１２を介して封緘片１０を袋本体１の他片１ｂ側から取り外さなくとも、図１６及び図１７に示すように袋本体１の開口部１１が開口することとなり、封入物を袋本体１の内部から取り出すことが可能となる。
【００３８】
さらにこの場合において、封緘片１０には白マットインクフィルム８が設けられておらず、アルミ蒸着フィルム５が外面側に裸出した状態とされているので、上記のようにカットテープ２４を引き裂いて袋体１４を開封すると、開封後に接着剤１２を介して袋本体１の他片１ｂ側に残存している封緘片１０の残片２５がアルミ蒸着フィルム５であるとともに、その残片２５の上側にわずかに裸出している袋本体１の他片１ｂの表面側は白マットインクフィルム８で構成されているので、開封された状態を、このような白マットインクフィルム８上にアルミ蒸着フィルム５からなる残片２５が残存している状態によって容易に確認することができる。また、
上記のようにカットテープ２４を引き裂かれることによって、図１６及び図１７に示すように袋本体１の一片１ａ側には残余突片２７が残存した状態となる。すなわち、封緘片１０は上記カットテープ２４の引き裂きによって前記残片２５と残余突片２７とに分断された状態となり、修復することが不可能な状態となる。
【００３９】
従って、仮に受信者以外の第三者が不当に封筒を開封した場合、その不当に開封れた事実を上記のような白マットインクフィルム８とアルミ蒸着フィルム５とが混在している開封状態によって容易に把握することができるのである。また、上記のように修復不可能なカットテープ２４を開封確認手段として採用したことにより、
上記のように不当に開封されることが未然に防止されることとなる。
【００４０】
このように、本実施形態においては、封緘片１０に設けられたカットテープ２４が、単に開封手段として機能しているだけでなく、受信者以外の第三者によって不当に封筒が開封された事実を容易に確認するための開封確認手段としても機能しうるのである。
しかも、開封手段としてカットテープ２４を採用することで、接着剤の接着力に抗して封緘片１０を剥がさなくとも袋本体１を開封して開口部１１を開口させることができるので、接着剤の接着力をより強固にして親展用により適した封筒を提供することが可能となる。
【００４１】
カットテープ２４以外の袋本体１の構成は実施形態２と同じであるため、その説明は省略する。
【００４２】
（実施形態４）
本実施形態は、切取可能なファイルが具備された封筒の実施形態である。すなわち、本実施形態では、図１８及び図１９に示すように、袋本体１の一片１ａと他片１ｂの双方に、切取線２０が逆向き略Ｌ字状に配設された状態に形成されている。袋本体１の一片１ａと他片１ｂとの構成は実施形態１と同じであるため、その説明は省略する。
【００４３】
本実施形態においては、袋本体１内に封入物が送信者によって封入され、その袋体である封筒が受信者に送信される。これを受信した受信者が、袋本体１内に封入された封入物を取り出すことによって、封筒としての使用目的は達成されるが、本実施形態においては、さらに受信者が上記逆向き略Ｌ字形に配設された切取線２０を切り取り、図２０に示すように残余片２１を除去することによって、残存している部分をファイル２２として使用することができる。
【００４４】
すなわち、上記切取線２０を切り取ると、同図のように袋本体１の表裏両片１ａ、１ｂの左側縁部２ｂ及び下縁部２ｃの２辺が熱圧着され、上縁部２３ａ及び右側縁部２３ｄが開口するファイル２２が形成されることとなるのである。
【００４５】
従って、受信者が封筒を受信し、封入物を取り出した後においても、上記のようなファイル２２として書類の保管等に使用することができるので、受信後の封筒を受信者が廃棄する必要がなく、有効に利用することができる。そして、合成樹脂製フィルムを素材とする封筒を、廃棄せずにファイルとして有効利用することは、環境保全の観点からも好ましいものである。
【００４６】
（実施形態５）
本実施形態は、上記実施形態４と同様に切り取り可能なファイルが具備された封筒の実施形態である。
【００４７】
ただし本実施形態では、袋本体１の両片１ａ、１ｂの両側縁部２ａ、２ｂ及び底縁部２ｃのみならず、図２１に示すように上縁部２ｄも熱圧着されており、この点で上縁部側に開口部１１や封緘片１０が形成されていた実施形態３の場合と相違する。すなわち、本実施形態の封筒は、内容物が袋本体１の両片１ａ、１ｂ間に封入されつつ、両側縁部２ａ、２ｂ、底縁部２ｃ、上縁部２ｄが熱圧着される、いわゆる自動封入封緘用の封筒である。
【００４８】
従って、受信者が受信した後、封筒を一旦開封すると、本来であれば、封緘片を具備した封筒に比べて書類の保管等が一層行ないにくいものであるが、本実施形態では図２１に示すように切取線２０が形成されているので、図２２に示すように残余片２１を除去することによって、実施形態４と同様に残存している部分をファイル２２として使用することができる。
【００４９】
よって、実施形態４と同様に、受信し、封入物を取り出した後の封筒の有効利用を図ることができる。
【００５０】
（その他の実施形態）
尚、上記実施形態では、袋本体１の他片１ｂを構成する合成樹脂製フィルム６として、延伸ポリプロピレンフィルムを使用したが、無延伸ポリプロピレンフィルムを使用することも可能である。また、ポリプロピレン以外にポリエチレンフィルムを用いることも可能である。ただし透明度の高さは無延伸よりも延伸フィルムの方が優れており、ポリエチレンよりポリプロピレンフィルムの方が優れている。
【００５１】
さらに、上記各実施形態では、袋本体１の一片１ａや他片１ｂに、アルミ蒸着フィルム５の他に、白マットインクフィルム８を具備させたが、白マットインクフィルム８を具備させることは本発明に必須の条件ではない。ただし、白マットインクフィルム８を具備させることで、上述のように少量多品種を目的とするオフセット印刷を好適に行なうことができるという利点があり、またオフセット印刷に限らず、グラビヤ印刷を行なう場合にも、白マットインクが存在することによって印刷用インクの色が鮮明に現出され、印刷を綺麗に行なうことができるという効果がある。
【００５２】
さらに上記実施形態では、袋本体１の一片１ａを他片１ｂより延長することによって封緘片１０を形成したが、これとは逆に他片１ｂを一片１ａより延長して封緘片１０を形成してもよい。
【００５３】
さらに、上記実施形態では、接着剤１２及び離型材１３を封緘片１０に設けたが、封緘片１０に設けずに、袋本体１側に設けてもよい。さらに、封緘片１０は、接着剤１２を塗布せずに粘着テープ等の手段によって封緘されるようにしてもよい。さらに、上記実施形態では、所定の溶着部を熱溶着によって形成したが、該実施形態のような熱溶着に限らず、超音波溶着で溶着部を形成することも可能である。
【００５４】
さらに、上記実施形態では、袋体１４の開封手段兼用の開封確認手段としてカットテープ２４を封緘片１０に具備させたが、袋体１４の開封手段としては、このようなカットテープ２４の他に、たとえばミシン目等を開封手段として採用することも可能であり、その他の手段を採用することも可能であり、その手段は問うものではない。
さらに、上記実施形態では、袋体１４の開封手段兼用の開封確認手段としてカットテープ２４を、封緘片１０を具備する袋体に設ける場合について説明したが、このような封緘片１０を具備する袋体に限らず、たとえば実施形態５に示すような自動封入封緘用の封筒に適用することも可能である。ただしカットテープ２４を具備させるので、該実施形態５のような切取線２０は不要となり、従ってファイル２２として使用することを意図するよりも、一般的な自動封入封緘用の封筒に適したものとして使用することができる。
【００５５】
また開封確認手段としては、上記実施形態のカットテープ２４以外に、たとえば封緘片１０が接着される袋本体１の他片１ｂ側に着色マットインクを塗着し、封緘片１０の剥離の後に該着色マットインクが部分的に剥離されて開封状態を確認しうるような手段を採用することも可能である。さらに、これ以外の開封確認手段を採用することも可能であり、開封確認手段の種類も問うものではない。
【００５６】
尚、このような開封手段や開封確認手段を設けることは、個人情報保護法が施行されたことに伴い、秘密保持が一層要求されるようになった親展用の封筒において非常に好ましいものであるが、このような開封手段や開封確認手段を設けることは本発明に必須の条件ではない。
【００５７】
さらに、上記実施形態では、オフセット印刷によって袋体への印刷を行ったが、オフセット印刷に限らず、他の印刷手段、たとえばフレキソ印刷やグラビヤ印刷等によって印刷することも可能であり、その印刷の種類は問わない。ただし、少量多品種の場合には、上記のようにアルミ蒸着フィルム５に白マットインクフィルム８がラミネートされた複層フィルムを具備する封筒を用いてオフセット印刷を行なうことが好ましい。
【００５８】
一方、同じ印刷内容の封筒を大量に印刷する場合には、量産に適したグラビヤ印刷の方が好適に使用できる。この場合には、白マットインクフィルム８がなくてもアルミ蒸着フィルム５上に直接印刷を行なうことが可能である。
【００５９】
さらに、上記実施形態では、袋本体１の一片１ａと他片１ｂとの両側縁部２ａ、２ｂ及び底縁部２ｃの三方を直接熱圧着可能に構成したが、これら三方の縁部を熱圧着可能に構成する手段は該実施形態のように直接熱圧着する手段に限らず、たとえば袋本体１の一片１ａ又は他片１ｂの両側縁部２ａ、２ｂ及び底縁部２ｃにおいて、所定幅となるように熱接着可能な接着剤を設け、或いは袋本体１の一片１ａの内面側に樹脂層を設けることで、その接着剤や樹脂層を介して両側縁部２ａ、２ｂ及び底縁部２ｃを熱接着することも可能である。
【００６０】
さらに、上記実施形態では、袋本体１を構成する一片１ａと他片１ｂとが、別々のフィルムで構成されていたが、これに限らず１枚のフィルムを２つ折り状態に折り曲げて袋本体１を構成することも可能である。
【００６１】
ただし、この場合には、表裏両片１ａ、１ｂの双方にアルミ蒸着フィルム５を具備させる場合は製造工程上の合理化に支障を生じることはないが、一片１ａのみに
アルミ蒸着フィルム５を具備させる場合は、２つ折りされる１枚のフィルムの半分
のみにアルミ蒸着を施すことができず、全面にアルミ蒸着を施した後、他片１ｂ側に相当するフィルムの半分の部分に蒸着されたアルミニウムをパスタ加工により除去しなければならないため、製造工程上のロスが無視できず、製造コストが高くつくこととなる。従って、実施形態１のように袋本体１の一片１ａのみにアルミ蒸着フィルム５を具備させる場合には、該実施形態のように別体の２枚の長尺フィルムを用いて袋体を製造することが好ましい。すなわち、袋本体１の一片１ａと他片１ｂとを別々のフィルムで構成することで、上記のような製造工程上のロスを防止し、製造コストを低減できるという効果を有するのである。
【００６２】
尚、上記実施形態のようなアルミ蒸着フィルム５に代えて、アルミニウム以外の
金属を蒸着した金属蒸着フィルムを用いることも可能である。ただし、アルミ蒸着フィルムは、酸化防止効果があり、また変色のおそれが少ないので光沢を維持することができる効果があり、袋体を構成するフィルムに用いるには好適である。
【００６３】
また、アルミ蒸着フィルムは、狭義にはアルミニウムの粉末を散りばめてフィルムに蒸着したようなものをいうが、これ限らず、たとえばアルミニウムの箔をフィルムに展着させたようなものを用いることも可能である。すなわち、本発明における金属蒸着フィルムとは、金属粉末を用いる狭義の蒸着フィルムのみならず、金属箔を設けたようなものも含む広義の意味である。
【００６４】
尚、本発明は、上述のようなアルミ蒸着フィルム等の金属蒸着フィルムによって透視防止を行なう観点から、袋本体１が透明な合成樹脂製の袋体に適用することを主眼とするものではあるが、袋本体の一片１ａが紙製のシートで袋本体の他片１ｂが合成樹脂製フィルムであるような袋体に適用することができ、さらには袋本体の両片１ａ、１ｂがともに紙製のシートで構成されたような袋体に適用することも可能である。
【００６５】
これらの場合には、たとえば紙製のシートの内面側にアルミ蒸着フィルムがラミネートされることによって袋本体１が構成されることになる。紙製のシートであっても、薄手の紙の場合には、封入物が透視されるおそれがあるので、アルミ蒸着フィルムを具備させることで、合成樹脂製フィルムからなる袋体と同様に透視防止効果を付与する実益がある。一方、紙製のシートには文字等が筆記可能であり、印刷も比較的好適に行なえるので、上記のような白マットインクを用いる必要はない。
また紙製のシートを具備させる場合、封緘片を剥離する際に、その封緘片又はそれと対面する袋本体を構成する紙の繊維が離脱して開封確認を行なうことが可能となる。
【００６６】
さらに、上記実施形態では、袋体をフィルム封筒に適用する場合について説明したが、本発明の袋体の種類も該実施形態のフィルム封筒に限らず、たとえば航空郵便用の袋体や、メール便や宅配便等の輸送用の袋体に使用することも可能である。さらには、このような郵送用や輸送用以外の袋体に本発明を適用することも可能であり、本発明の袋体の用途は問うものではない。
【図面の簡単な説明】
【００６７】
【図１】一実施形態の袋体の正面図。
【図２】同背面図。
【図３】図１のＡ−Ａ線断面図。
【図４】図１のＢ−Ｂ線断面図。
【図５】図３のＣ部拡大断面図。
【図６】一実施形態の袋体の製造方法であって、長尺複層フィルムシートと長尺フィルムシートを準備する工程の平面図。
【図７】長尺複層フィルムシートと長尺フィルムシートの所定位置を熱溶着してシール部を形成する工程の平面図。
【図８】長尺複層フィルムと長尺フィルムシートの略中央を切断する工程の平面図。
【図９】シール部を切断する工程の平面図。
【図１０】他実施形態の袋体の要部拡大断面図。
【図１１】他実施形態の袋体の正面図。
【図１２】同背面図。
【図１３】同封緘状態の背面図。
【図１４】図１３のＤ−Ｄ線断面図。
【図１５】カットテープを引き裂く状態を示す背面図。
【図１６】同袋体の開封状態の背面図。
【図１７】図１６のＥ−Ｅ線断面図。
【図１８】他実施形態の袋体の正面図。
【図１９】同背面図。
【図２０】図１８の袋体からファイルを切り取った状態の正面図。
【図２１】他実施形態の袋体の正面図。
【図２２】図２１の袋体からファイルを切り取った状態の正面図。
【符号の説明】
【００６８】
１…袋本体                      １ａ…一片
１ｂ…他片                      ５…アルミ蒸着フィルム
６…合成樹脂製フィルム          ７…白マットインク
８…白マットインクフィルム    ２４…カットテープ
【図１】
2007015703.tif 000003
【図２】
2007015703.tif 000004
【図３】
2007015703.tif 000005
【図４】
2007015703.tif 000006
【図５】
2007015703.tif 000007
【図６】
2007015703.tif 000008
【図７】
2007015703.tif 000009
【図８】
2007015703.tif 000010
【図９】
2007015703.tif 000011
【図１０】
2007015703.tif 000012
【図１１】
2007015703.tif 000013
【図１２】
2007015703.tif 000014
【図１３】
2007015703.tif 000015
【図１４】
2007015703.tif 000016
【図１５】
2007015703.tif 000017
【図１６】
2007015703.tif 000018
【図１７】
2007015703.tif 000019
【図１８】
2007015703.tif 000020
【図１９】
2007015703.tif 000021
【図２０】
2007015703.tif 000022
【図２１】
2007015703.tif 000023
【図２２】
2007015703.tif 000024